(57)【要約】【課題】この発明は、操作コマの操作領域に合う大きさのテーパ面を操作コマ収納凹部の外周に形成し、操作コマの種類を１種類として部品点数を削減し、金型費や部品コストを削減できる火災受信機を得る。【解決手段】メンブレンシート１７には、操作コマ１６の上部に当該操作コマ１６の操作領域１８が形成されており、操作コマ１６のそれぞれは、同じ形状に形成され、操作コマ収納凹部１２のそれぞれは、同じ形状に形成され、操作領域１８が複数の大きさに形成され、操作コマ収納凹部１２のそれぞれの外周部が、操作領域１８の外周縁部真下位置からザグリ部１３に向って漸次深くなるテーパ面１５に形成されている。【選択図】図４
2013196999.tif 000002
【特許請求の範囲】
【請求項１】
一面を開口とする箱形の本体、および該本体に開口を塞口するように取り付けられた扉体とからなり、回路基板が内部に配設された筐体と、
上記筐体に設けられた操作部と、を備えた火災受信機において、
上記操作部は、上記扉体、又は上記扉体に形成された開口部に露呈するように上記筐体内に設けられた操作パネルに設けられ、
それぞれ、上記扉体又は上記操作パネルの表面に凹設されたザグリ部、および該ザグリ部に形成された貫通穴を有する複数の操作コマ収納凹部と、
上記扉体の裏面側に設けられ、上記貫通穴のそれぞれに相対するように回路基板に配設されたタクトスイッチと、
上記複数の操作コマ収納凹部のそれぞれに装着され、上記ザグリ部に収納される頭部、および該頭部の下面から延出されて上記貫通穴に挿通される脚部を有する複数の操作コマと、
上記扉体、又は操作パネルの表面に貼り付けられて、上記複数の操作コマのそれぞれを上記タクトスイッチとの間に挟み込むメンブレンシートと、を有し、
上記メンブレンシートには、上記複数の操作コマのそれぞれの上部に当該操作コマの操作領域が形成されており、
上記複数の操作コマは、同じ形状に形成され、
上記複数の操作コマ収納凹部は、同じ形状に形成され、
上記複数の操作領域は、複数の異なる大きさに形成され、
上記複数の操作コマ収納凹部のそれぞれの外周部が、上記操作領域の外周縁部真下位置から上記ザグリ部に向って漸次深くなるテーパ面に形成されていることを特徴とする火災受信機。
【発明の詳細な説明】
【技術分野】
【０００１】
この発明は、火災などに関する受信機からなる火災受信機に関し、特に操作コマがメンブレンシートとタクトスイッチとの間に挟み込まれて構成されるスイッチ構造の改良に関するものである。
【背景技術】
【０００２】
従来の操作ボタン装置では、パネルの凹部に操作コマを組み込み、パネルの前面に薄膜板を両面接着テープで貼り付けて、パネルと薄膜板との間に操作コマを挟み込み、薄膜板を押すと操作コマが動作して操作コマの後面のタクトスイッチを押すように構成し、薄膜板に貼り付けた両面接着テープの位置がずれても、操作コマに両面接着テープが貼り付けつくことのないように、パネルと操作コマとの間に隙間を設けていた（例えば、特許文献１参照）。
【先行技術文献】
【特許文献】
【０００３】
【特許文献１】実開昭６０−１８３３２９号公報
【発明の概要】
【発明が解決しようとする課題】
【０００４】
従来の操作ボタン装置では、操作ボタンの操作領域が操作コマの真上に位置するように薄膜板に印刷され、利用者が薄膜板に印刷された操作領域を目安として操作コマを操作することになる。しかし、薄膜板に印刷される操作領域は、その大きさが、その機能などにより異なっており、操作領域の大きさに合わせた複数種の操作コマが必要となっていた。
【０００５】
この発明は、上記の課題を解決するためになされたものであり、操作コマの操作領域に合う大きさのテーパ面を操作コマ収納凹部の外周に形成し、操作コマの種類を１種類として部品点数を削減し、金型費や部品コストを削減できる火災受信機を得ることを目的とする。
【課題を解決するための手段】
【０００６】
この発明による火災受信機は、一面を開口とする箱形の本体、および該本体に開口を塞口するように取り付けられた扉体とからなり、回路基板が内部に配設された筐体と、上記筐体に設けられた操作部と、を備えている。上記操作部は、上記扉体、又は上記扉体に形成された開口部に露呈するように上記筐体内に設けられた操作パネルに設けられ、それぞれ、上記扉体又は上記操作パネルの表面に凹設されたザグリ部、および該ザグリ部に形成された貫通穴を有する複数の操作コマ収納凹部と、上記扉体の裏面側に設けられ、上記貫通穴のそれぞれに相対するように回路基板に配設されたタクトスイッチと、上記複数の操作コマ収納凹部のそれぞれに装着され、上記ザグリ部に収納される頭部、および該頭部の下面から延出されて上記貫通穴に挿通される脚部を有する複数の操作コマと、上記扉体、又は操作パネルの表面に貼り付けられて、上記複数の操作コマのそれぞれを上記タクトスイッチとの間に挟み込むメンブレンシートと、を有している。そして、上記メンブレンシートには、上記複数の操作コマのそれぞれの上部に当該操作コマの操作領域が形成されており、上記複数の操作コマは、同じ形状に形成され、上記複数の操作コマ収納凹部は、同じ形状に形成され、上記複数の操作領域は、複数の異なる大きさに形成され、上記複数の操作コマ収納凹部のそれぞれの外周部が、上記操作領域の外周縁部真下位置から上記ザグリ部に向って漸次深くなるテーパ面に形成されている。
【発明の効果】
【０００７】
この発明によれば、複数の操作コマが同じ形状に形成されているので、操作コマの種類が１種類となり、複数種類の操作コマを作製する必要がなく、操作コマ用の金型を複数作製する必要が無いため、金型費用が削減され、低コスト化が図られる。
【図面の簡単な説明】
【０００８】
【図１】この発明の一実施の形態に係る火災受信機を示す正面図である。
【図２】この発明の一実施の形態に係る火災受信機の操作カバーを開けた状態を示す正面図である。
【図３】この発明の一実施の形態に係る火災受信機のメンブレンシートを除去した状態を示す正面図である。
【図４】図２のＩＶ−ＩＶ矢視断面図である。
【図５】図２のＶ−Ｖ矢視断面図である。
【発明を実施するための形態】
【０００９】
以下、本発明による火災受信機の好適な実施の形態につき図面を用いて説明する。
【００１０】
図１はこの発明の一実施の形態に係る火災受信機を示す正面図、図２はこの発明の一実施の形態に係る火災受信機の操作カバーを開けた状態を示す正面図、図３はこの発明の一実施の形態に係る火災受信機のメンブレンシートを除去した状態を示す正面図、図４は図２のＩＶ−ＩＶ矢視断面図、図５は図２のＶ−Ｖ矢視断面図である。
【００１１】
図１乃至図５において、火災受信機１は、扉体２が箱形に形成された本体（図示せず）の前面に開閉可能に取り付けられた筐体を備え、箱形に形成された筐体の内部に、電気回路部や外部からの信号線（回線）が接続される端子などが実装された回路基板など（図示せず）を収納して構成されている。そして、電源などの状態を表示する表示灯群３、各種の操作を行うための操作部４、および監視区域とその監視区域における状態情報を表示する地区窓５などが扉体２に設けられ、筐体内部で回路基板などと電気的な接続がなされている。さらに、操作部カバー６が扉体２に開閉可能に取り付けられている。ここで、扉体２は、本体の側壁に蝶番を介して連結されている。
【００１２】
操作部４は、扉体２の裏面に所定の隙間を確保して配設された回路基板１０に装着された複数のタクトスイッチ１１と、タクトスイッチ１１のそれぞれと相対するように扉体２に形成された操作コマ収納凹部１２に装着された操作コマ１６と、扉体２の表面に操作部４の全面を覆うように貼り付けられたメンブレンシート１７と、を有する。メンブレンシート１７の表面には印刷が施され、操作コマ１６の操作領域１８がその機能とともに目視確認できるようになっている。
【００１３】
操作コマ１６は、樹脂成型体であり、頭部１６ａと、頭部１６ａの下面から突設された脚部１６ｂと、を備えている。操作コマ収納凹部１２は、操作コマ１６の頭部１６ａが収納されるザグリ部１３と、ザグリ部１３の中央にあけられ、脚部１６ｂが挿通される貫通穴１４と、を備えている。さらに、操作コマ収納凹部１２のザグリ部１３の外周部かつ、扉体２の表面側にテーパ面１５が形成されている。このテーパ面１５は、操作コマ１６に対応する操作領域１８の外周縁部真下位置からザグリ部１３に向って漸次深くなるように滑らかに形成されている。また、テーパ面１５の深さは、操作コマ１６の頭部１６ａが一部突出する程度、例えば頭部の高さ方向中央付近までである。
【００１４】
操作コマ１６は、タクトスイッチ１１へ向けて先細状に形成された脚部１６ｂが貫通穴１４内に入り、頭部１６ａがザグリ部１３内に収まるように、操作コマ収納凹部１２のそれぞれに装着される。そして、メンブレンシート１７は扉体２の操作部４の表面に貼り付けられる。さらに、タクトスイッチ１１が実装された回路基板１０が扉体２の裏面にねじなどにより締着されて、操作部４が組み立てられる。
【００１５】
このように組み立てられた操作部４では、操作コマ１６は、図４および図５に示されるように、扉体２に形成された操作部４の表面に貼り付けられたメンブレンシート１７と、扉体２に形成された操作部４の裏面側に設けられた回路基板１０上のタクトスイッチ１１とに挟まれて、扉体２に形成された操作部４の操作コマ収納凹部１２に収納されている。
そして、頭部１６ａの外周面とザグリ部１３の内周面との間に微小な隙間が形成され、操作コマ１６のガタツキが抑制されている。
なお、タクトスイッチ１１は内部に図示しないバネを有し、操作コマ１６はタクトスイッチ１１の上面に接する様に設けられ、常時押下可能な位置まで押し上げられている。これにより、頭部１６ａの下面とザグリ部１３の底面との間には、タクトスイッチ１１をＯＮさせるストローク量を規定する所定の隙間が確保されている。
【００１６】
ここで、操作コマ１６の操作領域１８は、図２に示されるように、その機能などにより、円形、正方形、長方形などの形状が異なるとともに、それらの寸法が異なっている。このように、操作領域１８は、形状および寸法の異なる複数の大きさに形成されている。
一方、操作コマ１６は、図３に示されるように、同じ大きさに形成されている。すなわち、１種類の操作コマ１６が用いられている。さらに、全ての操作コマ収納凹部１２は、同一形状に形成されている。そして、テーパ面１５の大きさが、図４および図５に示されるように、操作領域１８の大きさに適合するように変えられている。
【００１７】
このように構成された火災受信機１は、例えば建物の管理室に設置される。そして、例えば第１会議室に設置された火災感知器が作動すると、火災発生信号が回線を介して火災受信機１に送信される。そこで、第１会議室が割り振られた地区窓５の地区灯が点灯され、管理者は、点灯した地区窓５の表示シートから第１会議室に火災が発生したことを認識できる。
【００１８】
また、火災受信機１の各種の設定を行う場合には、操作部カバー６を開け、操作部４を操作することになる。そして、メンブレンシート１７の所望の操作領域１８を押圧すると、メンブレンシート１７の裏面に当接している操作コマ１６が押圧される。操作コマ１６は、その頭部１６ａがザグリ部１３の内周面に案内されて下降し、ザグリ部１３の底面に当たり、それ以上の下降が阻止される。これにより、操作コマ１６の下降力が脚部１６ｂからタクトスイッチ１１に伝達され、タクトスイッチ１１が押下される。また、メンブレンシート１７への押圧をやめると、タクトスイッチ１１が図示しない内部のばねにより押し上げられる。そして、操作コマ１６がタクトスイッチ１１のばね力により初期状態に復帰すると、メンブレンシート１７がその復元力により初期状態に復帰する。
【００１９】
この発明によれば、全ての操作コマ１６が同じ大きさに形成されているので、操作コマ１６の種類が１種類となり、複数種類の操作コマを作製する必要がなくなり、操作コマ用の金型を複数作製する必要が無いため、金型費用が削減され、低コスト化が図られるとともに、部品点数が削減され、組立性が向上される。
【００２０】
テーパ面１５がザグリ部１３の外周部に形成されているので、仮に操作領域１８の縁部を指で押しても、指がテーパ面１５の傾斜によりザグリ部１３側に誘導され、違和感なくタクトスイッチ１１をＯＮさせることができる。
【００２１】
全ての操作コマ収納凹部１２が同じ形状に形成され、ザグリ部１３の外周部に形成されるテーパ面１５の大きさを操作領域１８の大きさに適合するように変えているので、操作領域１８の大きさを自由に設定でき、操作コマ１６の種類を１種類とすることによる意匠性の悪化を抑えることができる。
なお、上記実施の形態では、扉体２に表示灯群３、操作部４、及び地区窓５を設けるものとしているが、例えば扉体に開口部を設け、操作パネルを該開口部に露呈するように扉体の裏面又は本体に設け、操作部４を該操作パネルに配設する様にしてもよい。
また、上記実施の形態では、扉体２は一面を開口とする箱形の本体の側壁に蝶番を介して連結されて、本体の開口を塞口可能に取り付けられているものとしているが、扉体は本体の開口を塞口可能に取り付けられていればよく、例えば扉体をねじにより本体に締着固定して取り付けられてもよい。
【符号の説明】
【００２２】
１  火災受信機、２  扉体、４  操作部、１０  回路基板、１１  タクトスイッチ、１２  操作コマ収納凹部、１３  ザグリ部、１４  貫通穴、１５  テーパ面、１６  操作コマ、１６ａ  頭部、１６ｂ  脚部、１７  メンブレンシート、１８  操作領域。
【図１】
2013196999.tif 000003
【図２】
2013196999.tif 000004
【図３】
2013196999.tif 000005
【図４】
2013196999.tif 000006
【図５】
2013196999.tif 000007